(57)【特許請求の範囲】
【請求項１】
雌型の上にブランクシートを載置し、該ブランクシートの周縁を雄型が通過可能に中央が開口している押さえ型で押さえた後、雄型を雌型に押しつけ、絞り加工する紙製絞り成形品の成形加工方法において、
前記ブランクシートが接触する方の面のコーナー部分にのみ、外側周縁から内方の略中央方向に向けて、幅２ｍｍ、深さ１ｍｍ、長さ２０ｍｍの溝が穿設された押さえ型を用いて絞り加工することを特徴とする、紙製絞り成形品の成形加工方法。
【請求項２】
雌型の上にブランクシートを載置し、該ブランクシートの周縁を雄型が通過可能に中央が開口している押さえ型で押さえた後、雄型を雌型に押しつけ、絞り加工する紙製絞り成形品の成形加工方法において、
前記ブランクシートが接触する方の面のコーナー部分にのみ、外側周縁から内方の略中央方向に向けて、幅２ｍｍ、深さ１ｍｍ、長さ２０ｍｍの溝が穿設された雌型を用いて絞り加工することを特徴とする、紙製絞り成形品の成形加工方法。
【請求項３】
請求項１又は２記載の成形加工方法を用いて作製した紙製絞り成形品。
【請求項４】
前記紙製絞り成形品が被せ蓋であることを特徴とする、請求項３記載の紙製絞り成形品。
【発明の詳細な説明】
【０００１】
【発明の属する技術分野】
本発明は、紙製絞り成形品の成形加工方法と該加工方法により作製した紙製絞り成形品並びに該成形品からなる被せ蓋に関する。
【０００２】
【従来の技術】
従来、板紙を雄型と雌型の一対のプレス型で絞って立体性を持たせトレー、紙皿、蓋などに使用してきた。
この絞り加工工程を具体的に述べるならば、例えば図５に示すように、雌型（１）の上に絞り成形加工を行うブランクシート（２）を載置し、押さえ型（３）でブランクシートの周縁を押さえた後、雄型（４）を雌型（１）に押し込み、ブランクシートを絞って紙製絞り成形品（１０）である立体性のあるトレーや紙皿を作製していた。また、必要に応じて、雄型と雌型は加熱していた。
【０００３】
ところが、表面がフラットな押さえ型を使用して深さのある立体的な容器を成形するため、特に、紙繊維が一か所に寄るコーナーの部分では、不規則にしわ（７）が発生してしまい見栄えの良いものではなかった（図６（ａ）、（ｂ）、（ｃ）参照）。
【０００４】
【発明が解決しようとする課題】
本発明は、板紙を絞り成形加工する際に発生する以上のような問題点を解決するめになされたもので、板紙を絞り加工する際に生じるしわを規則正しく発生するようにして見栄えの良い紙製絞り成形品の成形加工方法と該加工方法により作製した紙製絞り成形品並びに該成形品からなる被せ蓋を提供することを課題とする。
【０００５】
【課題を解決するための手段】
本発明の請求項１の発明は、雌型の上にブランクシートを載置し、該ブランクシートの周縁を雄型が通過可能に中央が開口している押さえ型で押さえた後、雄型を雌型に押しつけ、絞り加工する紙製絞り成形品の成形加工方法において、前記ブランクシートが接触する方の面のコーナー部分にのみ、外側周縁から内方の略中央方向に向けて、幅２ｍｍ、深さ１ｍｍ、長さ２０ｍｍの溝が穿設された押さえ型を用いて絞り加工することを特徴とする、紙製絞り成形品の成形加工方法である。
【０００６】
このように請求項１記載の発明によれば、ブランクシートが接触する方の面のコーナー部分にのみ、外側周縁から内方の略中央方向に向けて、幅２ｍｍ、深さ１ｍｍ、長さ２０ｍｍの溝が穿設された押さえ型を用いて絞り加工するので、絞り加工時に発生する紙の寄りによるしわは、この溝の中に入り込み規則的に発生することになり見栄えの良い紙製絞り成形品が得られる。
【０００７】
また、請求項２の発明は、雌型の上にブランクシートを載置し、該ブランクシートの周縁を雄型が通過可能に中央が開口している押さえ型で押さえた後、雄型を雌型に押しつけ、絞り加工する紙製絞り成形品の成形加工方法において、前記ブランクシートが接触する方の面のコーナー部分にのみ、外側周縁から内方の略中央方向に向けて、幅２ｍｍ、深さ１ｍｍ、長さ２０ｍｍの溝が穿設された雌型を用いて絞り加工することを特徴とする、紙製絞り成形品の成形加工方法である。
【０００８】
このように請求項２記載の発明によれば、ブランクシートが接触する方の面のコーナー部分にのみ、外側周縁から内方の略中央方向に向けて、幅２ｍｍ、深さ１ｍｍ、長さ２０ｍｍの溝が穿設された雌型を用いて絞り加工するので、絞り加工時に発生する紙の寄りによるしわは、この溝の中に入り込み規則的に発生することになり見栄えの良い紙製絞り成形品が得られる。
【０００９】
また、請求項３の発明は、請求項１又は２記載の成形加工方法を用いて作製した紙製絞り成形品である。
【００１０】
さらに、請求項４の発明は、請求項３の発明において、前記紙製絞り成形品が被せ蓋であることを特徴とする、紙製絞り成形品である。
【００１１】
【発明の実施の形態】
本発明の紙製絞り成形品の成形加工方法を一実施形態に基づいて以下に詳細に説明する。
図１（ａ）、（ｂ）、（ｃ）は、絞り加工工程の一例を示す模式説明図である。
雌型（１）の上にブランクシート（２）を載置し、該ブランクシート（２）の周縁を雄型が通過可能に中央が開口している押さえ型（３）で押さえた後、雄型（４）を雌型（１）に押しつけ、絞り加工する紙製絞り成形品（１０）の成形加工方法において、ブランクシート（２）が接触する方の面のコーナー部分（５）にのみ、外側周縁から内方の略中央方向に向けて適宜の長さの溝（６）が穿設された押さえ型（３）を用いて絞り成形加工する紙製絞り成形品（１０）の成形加工方法である。
【００１２】
ブランクシート（２）は、絞り成形加工性に富む、カップ原紙、アイボリー、両面カード、等の板紙が好ましく使用できる。
これらの板紙の片面または両面にポリエチレン、ポリプロピレン等の熱可塑性樹脂層を設けた複合紙を用いても良い。
【００１３】
押さえ型（３）に穿設される溝（６）は、ブランクシート（２）が接触する方の面のコーナー部分（５）にのみ、外側周縁から内方の略中央方向に向けて適宜の長さで設けられる。
さらに具体的には、厚さが０．３５ｍｍ程度の板紙を絞り成形する場合、溝の幅は２ｍｍ程度、深さは１ｍｍ程度、長さは２０ｍｍ程度とすることが望ましい。
【００１４】
また、絞り成形加工時に雌型や雄型を１００°Ｃ程度に加熱しておくと絞りが無理なく行える。
【００１５】
このような押さえ型（３）を使用して絞り成形加工を行うことにより、絞り成形加工時に発生するコーナー部分の紙の寄りによるしわは、この溝（６）の中に入り込み、規則的に発生することになって美粧性が向上する。
【００１６】
溝（６）は、押さえ型（３）に設ける代わりに、雌型（１）の方に設けることもできる。
すなわち、雌型の上にブランクシートを載置し、該ブランクシートの周縁を押さえ型で押さえた後、雄型を雌型に押しつけ、絞り加工する紙製絞り成形品の成形加工方法において、ブランクシート（２）が接触する方の面のコーナー部分（５）にのみ、外側周縁から内方の略中央方向に向けて適宜の長さの溝（６）が穿設された雌型（１）を用いて絞り成形加工する紙製絞り成形品（１０）の成形加工方法である（図２（ａ）、（ｂ）、（ｃ）参照）。
【００１７】
つぎに、本発明の絞り成形加工方法を用いて作製した紙製絞り成形品の一つである被せ蓋について説明する。
【００１８】
図３（ａ）は、本発明の絞り成形加工方法を用いて作製する被せ蓋の一実施例を示すブランクシートの展開説明図である。
八角形の天板（１１）の各辺から折り曲げ線（ａ）を介して側面板（１３）と第２側面板（１４）が順次連設されている。
【００１９】
天板（１１）の各隅角（コーナー部分）からは、内方の略中央部に向けて適宜の長さの罫線（ｋ）が設けられている。
隔辺の側面板の両端縁には、折り曲げ線を介して接合片（１３１）が連設されている。
【００２０】
このブランクシートを前述の絞り成形加工方法により絞り成形加工すると、図３（ｂ）に示すように、ブランクシートの周縁を雌型と枠状の押さえ型で押さえながら雄型を雌型に押しつけるので、天板（１１）の周縁は絞られて絞り成形加工（１１ａ）が施され、コーナー部分で発生した紙の寄りによるしわは、コーナー部分に設けた罫線（ｋ）に誘導されて、押さえ型に設けられた溝の中に入り込み、規則的に発生することになり、見栄えのよい製品が得られる。
【００２１】
絞り成形加工を施したブランクシートを折り曲げ線に沿って折り曲げ、接合片（１３１）を隣り合う側面板（１３）の内側に重ねて第２側面板（１４）の内面側と側面板（１３）の内面側とを接着させると、隣り合う側面板同士が第２側面板と接合片により接着されて天板の周縁から垂下した周壁を形成することになり、中央部分が盛り上がった天板を有する被せ蓋が出来上がる（図４（ａ）、（ｂ）参照）。
【００２２】
側面板（１３）と第２側面板（１４）の内面同士の接着手段は、特に限定されないが、使用する素材によりヒートシール法、グルー貼り、ホットメルト貼りなどを使い分ければ良い。
【００２３】
【発明の効果】
上記のように、本発明の紙製絞り成形品の成形加工方法を用いて作製した紙製絞り成形品は、規則性のあるしわ形状により美粧性が向上する。
絞り成形後、製函工程などある場合には、機械適性が向上する。
【図面の簡単な説明】
【図１】本発明の紙製絞り成形品の成形加工方法により絞り成形加工している状態の一実施例を示す、（ａ）は斜視説明図であり、（ｂ）は（ａ）のＡ−Ａ’線断面説明図であり、（ｃ）は絞り成形品の斜視説明図である。
【図２】本発明の紙製絞り成形品の成形加工方法により絞り成形加工している状態の別の実施例を示す、（ａ）は斜視説明図であり、（ｂ）は（ａ）のＡ−Ａ’線断面説明図であり、（ｃ）は絞り成形品の斜視説明図である。
【図３】本発明の紙製絞り成形品の一実施例を示す、被せ蓋の（ａ）は展開説明図であり、（ｂ）は（ａ）を絞り成形した状態の展開説明図である。
【図４】図３に示す被せ蓋の、（ａ）は平面説明図であり、（ｂ）は（ａ）のＡ−Ａ’線断面説明図である。
【図５】絞り成形加工工程の一例を示す、模式説明図である。
【図６】従来の紙製絞り成形品の成形加工方法により絞り成形加工している状態を示す、（ａ）は斜視説明図であり、（ｂ）は（ａ）のＡ−Ａ’線断面説明図であり、（ｃ）は絞り成形品の斜視説明図である。
【符号の説明】
１‥‥雌型
２‥‥ブランクシート
３‥‥押さえ型
４‥‥雄型
５‥‥コーナー部分
６‥‥溝
７‥‥しわ
１０‥‥紙製絞り成形品
１１‥‥天板
１１ａ‥天板の絞り加工部分
１３‥‥側面板
１４‥‥第２側面板
１３１‥‥接合片
ａ‥‥折り曲げ線
ｋ‥‥罫線
【図１】
0004126956.tif 000002
【図２】
0004126956.tif 000003
【図３】
0004126956.tif 000004
【図４】
0004126956.tif 000005
【図５】
0004126956.tif 000006
【図６】
0004126956.tif 000007